(57)【要約】【課題】本発明は、スピーカ出力とヘッドホン出力の音声出力パターンを、ユーザにとって理解し易いように設定する。【解決手段】本発明は、２画面表示可能なモニタ６に対して２画面表示を行っているとき、メイン画面６Ａ又はサブ画面６Ｂの何れが選択されているかを認識し、選択されている方のメイン画面６Ａ又はサブ画面６Ｂに対応したメイン音声又はサブ音声をスピーカ出力するよう制御し、ヘッドホンが接続される前であっても、選択されていない方のサブ画面６Ｂ又はメイン画面６Ａに対応したサブ音声又はメイン音声をヘッドホン端子へ供給するよう制御することにより、ヘッドホンが接続された場合には必ず選択されていない方のサブ音声又はメイン音声をヘッドホン出力することが出来るので、ヘッドホンの接続有無だけでユーザにとって簡単かつ容易な音声出力パターンを設定することができる。【選択図】図４
2009135576.tif 000002
【特許請求の範囲】
【請求項１】
２画面表示可能な表示手段と、
上記表示手段に２画面表示を行っているとき、メイン画面又はサブ画面の何れが選択されているかを認識し、選択されている方の上記メイン画面又は上記サブ画面に対応したメイン音声又はサブ音声をスピーカ出力するよう制御するスピーカ出力制御手段と、
ヘッドホンが接続される前であっても、選択されていない方の上記サブ画面又は上記メイン画面に対応した上記サブ音声又は上記メイン音声を上記ヘッドホンのヘッドホン端子へ供給するよう制御するヘッドホン出力制御手段と
を具えることを特徴とする音声出力制御装置。
【請求項２】
上記スピーカ出力制御手段は、上記ヘッドホンが上記ヘッドホン端子に接続されたことによりヘッドホン出力を開始したときでも、上記スピーカ出力をそのまま継続する
ことを特徴とする請求項１に記載の音声出力制御装置。
【請求項３】
２画面表示可能な表示手段に対して２画面表示を行っているとき、メイン画面又はサブ画面の何れが選択されているかを所定の認識手段によって認識する認識ステップと、
上記認識ステップで認識した選択されている方の上記メイン画面又は上記サブ画面に対応したメイン音声又はサブ音声をスピーカ出力制御手段によってスピーカ出力するよう制御するスピーカ出力制御ステップと、
ヘッドホンが接続される前であっても、選択されていない方の上記サブ画面又は上記メイン画面に対応した上記サブ音声又は上記メイン音声を上記ヘッドホンのヘッドホン端子へ供給するようヘッドホン出力制御手段によって制御するヘッドホン出力制御ステップと
を具えることを特徴とする音声出力制御方法。
【発明の詳細な説明】
【技術分野】
【０００１】
本発明は、音声出力制御装置及び音声出力制御方法に関し、例えば同時に２画面表示を行うことができるディジタルテレビに適用して好適なものである。
【背景技術】
【０００２】
従来、ディジタルテレビにおいては、２画面モードという機能を有しており、２画面ボタンがユーザによって押下操作されると通常の１画面モードから２画面モードへ遷移するようになされている。この場合、ディジタルテレビでは、一般的に左側がメイン画面、右側がサブ画面となる。
【０００３】
このディジタルテレビでは、２画面モードにおいて、メイン画面が選択されているとき、当該ディジタルテレビに備え付けられたスピーカから当該メイン画面のメイン音声のみが出力されることになる。
【０００４】
そしてディジタルテレビでは、リモートコントローラの左右矢印ボタンに対する操作に応じて、左側のメイン画面から右側のサブ画面へ選択対象を切り換え得るようになされている。
【０００５】
この場合ディジタルテレビは、表示中の画面としては２画面ではあるが、例えばメイン画面の画枠をカーソルによって選択されているかのように強調表示することにより、メイン画面のメイン音声をスピーカから出力していることを視覚的に通知し得るようになされている。
【０００６】
従ってディジタルテレビは、リモートコントローラの右矢印ボタンに対する操作に応じて、サブ画面の画枠を強調表示すると共に、当該サブ画面のサブ音声をスピーカから出力するように切り換え得るようになされている。ここまでは、通常の２画面モードにおける音声の切換手法である。
【０００７】
ところでディジタルテレビでは、ヘッドホンが接続された場合に、それまでのスピーカ出力をオフすると共に、選択中のメイン画面又はサブ画面のメイン音声又はサブ音声をヘッドホンから出力するように切り換えるヘッドホンモード１が設けられている。
【０００８】
またディジタルテレビでは、ユーザのリモートコントローラに対するメニューボタンの押下操作に応じて、選択中のメイン画面又はサブ画面にメニューを表示するようになされており、そのメニューの中でヘッドホンモード２を選択させ得るようになされている。
【０００９】
しかしながらディジタルテレビでは、ヘッドホンが接続されている場合と、ヘッドホンが接続されていない場合とでは、メニューのヘッドホンモード２が選択された場合に、スピーカ出力とヘッドホン出力の音声出力パターンが異なっているのが現状である。
【００１０】
実際上、図１に示すようにディジタルテレビでは、最初に２画面表示を行っている状態Ｔ１から、リモートコントローラの左矢印ボタンに対する押下操作に応じてメイン画面を選択する状態Ｔ２へ遷移した場合、スピーカからはメイン画面のメイン音声のみを出力する状態Ｔ３となる。
【００１１】
因みにディジタルテレビでは、この場合でもサブ画面に番組映像を表示中であるが、あくまでメイン画面が選択されている状態にあるため、サブ画面のサブ音声についてはスピーカ出力をオフするようになされている。
【００１２】
またディジタルテレビでは、状態Ｔ２におけるメイン画面の選択中、ユーザのリモートコントローラに対するメニューボタンの押下操作に応じてメニューをメイン画面に表示し、そのメニューの中でヘッドホンモード１若しくはヘッドホンモード２を選択させることができ、ヘッドホンモード２が選択された状態Ｔ４へ遷移した場合、スピーカからはメイン音声を継続して出力させる一方、ヘッドホン端子にサブ画面のサブ音声を供給する状態Ｔ５へ遷移する。
【００１３】
すなわち、この場合、ディジタルテレビでは、ヘッドホン端子にヘッドホンが接続されれば、その瞬間からサブ音声をヘッドホン出力することができる。
【００１４】
更にディジタルテレビでは、状態Ｔ２におけるメイン画面の選択中、ヘッドホンが接続された状態Ｔ６へ遷移した場合、それはヘッドホンモード１が選択されたのと同義であって、メイン音声のスピーカ出力をオフすると共に、ヘッドホン端子を介してヘッドホンからメイン音声を出力するように切り換えた状態Ｔ７へ遷移する。
【００１５】
すなわち、この場合ユーザは、状態Ｔ７において、メイン画面の映像を目視確認しながら、メイン画面のメイン音声をヘッドホンからのみ聴取するようになされている。
【００１６】
なおディジタルテレビでは、ヘッドホンが接続された状態Ｔ６において、メニューボタンの押下操作に応じてメニューをメイン画面に表示し、そのメニューの中でヘッドホンモード２が選択された状態Ｔ８へ遷移した場合、スピーカからはサブ画面のサブ音声を出力させる一方、ヘッドホン端子を介してヘッドホンからは引き続きメイン画面のメイン音声を出力する状態Ｔ９へ遷移する。
【００１７】
一方、ディジタルテレビでは、最初に２画面表示を行っている状態Ｔ１から、リモートコントローラの右矢印ボタンに対する操作に応じてサブ画面を選択する状態Ｔ１０へ遷移した場合、スピーカからはサブ画面のサブ音声のみを出力する状態Ｔ１１となる。
【００１８】
因みにディジタルテレビでは、この場合でもメイン画面に番組映像を表示中であるが、あくまでサブ画面が選択されている状態にあるため、メイン画面のメイン音声についてはスピーカ出力をオフするようになされている。
【００１９】
またディジタルテレビでは、状態Ｔ１０におけるサブ画面の選択中、ユーザのリモートコントローラに対するメニューボタンの押下操作に応じてメニューをサブ画面に表示し、そのメニューの中でヘッドホンモード２が選択された状態Ｔ１２へ遷移した場合、スピーカからはサブ音声を継続して出力させる一方、ヘッドホン端子にメイン画面のメイン音声を供給する状態Ｔ１３へ遷移する。
【００２０】
すなわち、この場合、ディジタルテレビでは、ヘッドホン端子にヘッドホンが接続されれば、その瞬間からメイン音声をヘッドホン出力することができる。
【００２１】
更にディジタルテレビでは、状態Ｔ１０におけるサブ画面の選択中、ヘッドホンが接続された状態Ｔ１４へ遷移した場合、それはヘッドホンモード１が選択されたのと同義であって、サブ音声のスピーカ出力をオフすると共に、ヘッドホン端子を介してヘッドホンからサブ音声を出力するように切り換えた状態Ｔ１５へ遷移する。
【００２２】
すなわち、この場合ユーザは、状態Ｔ１５において、サブ画面の映像を目視確認しながら、サブ画面のサブ音声をヘッドホンからのみ聴取するようになされている。
【００２３】
なおディジタルテレビでは、ヘッドホンが接続された状態Ｔ１４において、メニューボタンの押下操作に応じてメニューをサブ画面に表示し、そのメニューの中でヘッドホンモード２が選択された状態Ｔ１６へ遷移した場合、スピーカからはメイン画面のメイン音声を出力させる一方、ヘッドホンからは引き続きサブ画面のサブ音声を出力する状態Ｔ１７へ遷移する。
【００２４】
このようにディジタルテレビでは、メイン画面又はサブ画面の選択中に、ヘッドホンが接続されるとスピーカ出力をオフにして、そのオフにしたスピーカ出力をヘッドホン出力に切り換える。
【００２５】
一方、ディジタルテレビでは、メニューを介してヘッドホンモード２が選択されると、スピーカ出力及びヘッドホン出力の双方を行うが、メニューに入るのが先か、ヘッドホンが接続されるのが先かによって、ヘッドホン出力とスピーカ出力とが入れ替わることになる。
【００２６】
一方、２画面表示を行う映像機器としては、Ｌｃｈスピーカから出力する音声と、Ｒｃｈから出力する音声を切り換え、その音量バランスを制御できるものがある（例えば、特許文献１参照）。
【特許文献１】特開平9-307833号公報
【発明の開示】
【発明が解決しようとする課題】
【００２７】
ところでかかる構成のディジタルテレビにおいては、スピーカ出力とヘッドホン出力の音声出力パターンがこれだけ複雑になると、ユーザを混乱させ、当該ユーザに対して所望の音声出力パターンを容易に設定させることが困難で、非常に使い勝手が悪いという問題があった。
【００２８】
本発明は以上の点を考慮してなされたもので、ユーザを混乱させることのない理解し易い音声出力パターンを簡単に設定させ得る音声出力制御装置及び音声出力制御方法を提案しようとするものである。
【課題を解決するための手段】
【００２９】
かかる課題を解決するため本発明の音声出力制御装置においては、２画面表示可能な表示手段と、当該表示手段に２画面表示を行っているとき、メイン画面又はサブ画面の何れが選択されているかを認識し、選択されている方のメイン画面又はサブ画面に対応したメイン音声又はサブ音声をスピーカ出力するよう制御するスピーカ出力制御手段と、ヘッドホンが接続される前であっても、選択されていない方のサブ画面又はメイン画面に対応したサブ音声又はメイン音声をヘッドホンのヘッドホン端子へ供給するよう制御するヘッドホン出力制御手段とを設けるようにする。
【００３０】
これにより、選択中のメイン画面又はサブ画面のメイン音声又はサブ音声をスピーカ出力しながら、未選択のサブ画面又はメイン画面のサブ音声又はメイン音声をヘッドホン端子へ供給するため、ヘッドホンが接続された場合には必ず選択されていない方のサブ画面又はメイン画面のサブ音声又はメイン音声をヘッドホン出力することが出来るので、ヘッドホンの接続有無だけでユーザにとって簡単かつ容易な音声出力パターンを設定することができる。
【００３１】
また本発明の音声出力制御方法においては、２画面表示可能な表示手段に対して２画面表示を行っているとき、メイン画面又はサブ画面の何れが選択されているかを所定の認識手段によって認識する認識ステップと、当該認識ステップで認識した選択されている方のメイン画面又はサブ画面に対応したメイン音声又はサブ音声をスピーカ出力制御手段によってスピーカ出力するよう制御するスピーカ出力制御ステップと、ヘッドホンが接続される前であっても、選択されていない方のサブ画面又はメイン画面に対応したサブ音声又はメイン音声をヘッドホンのヘッドホン端子へ供給するようヘッドホン出力制御手段によって制御するヘッドホン出力制御ステップとを有するようにする。
【００３２】
これにより、選択中のメイン画面又はサブ画面のメイン音声又はサブ音声をスピーカ出力しながら、未選択のサブ画面又はメイン画面のサブ音声又はメイン音声をヘッドホン端子へ供給するため、ヘッドホンが接続された場合には必ず選択されていない方のサブ画面又はメイン画面のサブ音声又はメイン音声をヘッドホン出力することが出来るので、ヘッドホンの接続有無だけでユーザにとって簡単かつ容易な音声出力パターンを設定することができる。
【発明の効果】
【００３３】
本発明によれば、選択中のメイン画面又はサブ画面のメイン音声又はサブ音声をスピーカ出力しながら、未選択のサブ画面又はメイン画面のサブ音声又はメイン音声をヘッドホン端子へ供給するため、ヘッドホンが接続された場合には必ず選択されていない方のサブ画面又はメイン画面のサブ音声又はメイン音声をヘッドホン出力することが出来るので、ヘッドホンの接続有無だけでユーザにとって簡単かつ容易な音声出力パターンを設定することができ、かくしてユーザを混乱させることのない理解し易い音声出力パターンを簡単に設定させ得る音声出力制御装置及び音声出力制御方法を実現することができる。
【発明を実施するための最良の形態】
【００３４】
以下、図面について、本発明の一実施の形態を詳述する。
【００３５】
（１）ディジタルテレビの構成
図１において、１は全体として本発明の音声出力制御装置としての機能を搭載したディジタルテレビを示し、マイクロコンピュータ構成でなるＴＶ(Television)マイコン２が全体を統括制御するようになされている。
【００３６】
ディジタルテレビ１のＴＶマイコン２は、リモートコントローラ（以下、これを単にリモコンと呼ぶ）３から供給される命令に従ってチャンネル切換信号をフロントエンド４へ送出したり、２画面モードへ切り換える２画面モード切換信号をバックエンド５へ送出するようになされている。
【００３７】
フロントエンド４は、図示しないアンテナを介して受信した地上波テレビジョン信号のうちＴＶマイコン２から供給されるチャンネル切換信号に応じてユーザ所望の放送局信号を選局する。このフロントエンド４では、２つのチューナ（図示せず）を搭載しており、同時に２チャンネルの放送局信号を選局し得るようになされている。
【００３８】
そしてフロントエンド４は、選局した１チャンネル分又は２チャンネル分の放送局信号を所定周波数帯域の中間周波数信号に変換し、映像データと音声データに分離した後にそれぞれデコードし、映像信号についてはバックエンド５へ送出すると共に、音声信号についてはオーディオ処理部７へ送出する。
【００３９】
オーディオ処理部７は、フロントエンド４から供給された音声信号に対して所定の信号処理を施し、所定レベルに増幅した後、その音声信号をスピーカ又はヘッドホン端子へ供給するようになされている。
【００４０】
バックエンド５は、図３に示すように、ＴＶマイコン２からの２画面モード切換信号に応じて液晶ディスプレイ等でなるモニタ６の左側にメイン画面６Ａ及び右側にサブ画面６Ｂを表示する。
【００４１】
またバックエンド５は、デフォルト状態では、モニタ６のメイン画面６Ａを選択するようになされており、当該メイン画面６Ａが選択されていることを示す強調表示枠９（破線で示す）をメイン画面６Ａの周囲に表示するようになされている。
【００４２】
このときＴＶマイコン２はオーディオ処理部７を介してスピーカ（図示せず）から現在選択中であるメイン画面６Ａに表示中のメイン映像に対応したメイン音声をスピーカ出力し、サブ画面６Ｂに表示中のサブ映像に対応したサブ音声についてはスピーカ出力しないようになされている。
【００４３】
またＴＶマイコン２は、リモコン３の右矢印ボタン（図示せず）に対するユーザの押下操作に応じてサブ画面６Ｂを選択した場合、当該サブ画面６Ｂに対して強調表示枠９を表示すると共に、現在選択されているサブ画面６Ｂに表示中のサブ映像に対応したサブ音声を、オーディオ処理部７を介してスピーカ出力するように切り換える。
【００４４】
このような２画面モードにおける音声切換手法は従来からも行われている一般的なものであり、このディジタルテレビでは、このような音声切換手法に加えてヘッドホンが接続されたときであっても、ユーザに対して直感的かつ容易に理解可能な音声出力制御を行うようになされている。
【００４５】
（２）２画面モードにおける音声出力制御処理手順
図４に示すように、ディジタルテレビ１のＴＶマイコン２は、ルーチンＲＴ１の開始ステップから入って次のステップＳＰ１へ移り、まずモニタ６にメイン画面６Ａだけを１画面表示し、次のステップＳＰ２へ移る。
【００４６】
ステップＳＰ２においてディジタルテレビ１のＴＶマイコン２は、リモコン３に設けられた２画面モードボタン（図示せず）がユーザによって押下操作されたか否かを判定する。ここで否定結果が得られると、このことは２画面モードボタンが押下操作されておらず、ユーザが１画面表示を継続したいことを表しており、このときＴＶマイコン２はステップＳＰ１へ戻ってメイン画面６Ａだけを１画面表示し続ける。
【００４７】
これに対してステップＳＰ２で肯定結果が得られると、このことはユーザが１画面表示から２画面表示への切換を希望していることを表しており、このときＴＶマイコン２は次のステップＳＰ３へ移る。
【００４８】
ステップＳＰ３においてＴＶマイコン２は、２画面モードボタンに対する押下操作に応じて、モニタ６を１画面表示から２画面表示（図３）へ切り換えることにより２画面モードへ遷移し、次のステップＳＰ４へ移る。
【００４９】
ステップＳＰ４においてＴＶマイコン２は、２画面モードにおいてデフォルトのメイン画面６Ａを選択中にサブ画面６Ｂへ切り換えるため、リモコン３の右矢印ボタン（図示せず）に対するユーザの押下操作に応じたサブ画面切換信号を受け取ったか否かを判定する。
【００５０】
ここで否定結果が得られると、このことはサブ画面切換信号を受け取っておらず、デフォルトのメイン画面６Ａを継続して選択中であることを示し、このときＴＶマイコン２は次のステップＳＰ５へ移る。
【００５１】
ステップＳＰ５においてＴＶマイコン２は、メイン画面６Ａが選択中であることを当該メイン画面６Ａの周囲に表示した強調表示枠９によって示すと共に、メイン音声をスピーカから出力し、次のステップＳＰ６へ移る。
【００５２】
このときＴＶマイコン２は、メイン音声だけをスピーカ出力すると同時に、サブ画面６Ｂのサブ音声をヘッドホン端子（図示せず）に供給しており、当該ヘッドホン端子にヘッドホンが接続された場合には、その瞬間からヘッドホンへサブ音声を出力し得るようになされている。
【００５３】
ステップＳＰ６においてＴＶマイコン２は、メイン画面６Ａの選択中であってメイン音声をスピーカ出力している最中に、ヘッドホンがヘッドホン端子に接続されたか否かを判定し、否定結果が得られた場合、ステップＳＰ５へ戻るのに対し、肯定結果が得られると次のステップＳＰ７へ移る。
【００５４】
ステップＳＰ７においてＴＶマイコン２は、メイン画面６Ａに対するメイン音声のスピーカ出力を継続したまま、ヘッドホン端子には予めサブ画面６Ｂのサブ音声を供給しているので、当該ヘッドホン端子に接続されたヘッドホンから直ちにサブ音声を出力させ、ステップＳＰ４へ戻って上述の処理を繰り返す。
【００５５】
一方、ステップＳＰ４で肯定結果が得られると、このことはサブ画面切換信号を受け取ったので、ユーザがサブ画面６Ｂのサブ音声をスピーカ出力させたい意思を持っていることを表しており、このときＴＶマイコン２は次のステップＳＰ８へ移る。
【００５６】
ステップＳＰ８においてＴＶマイコン２は、サブ画面切換信号に応じてデフォルトのメイン画面６Ａからサブ画面６Ｂへその選択を切り換え、当該サブ画面６Ｂを選択中であることを強調表示枠９によって示すと共に、スピーカ出力をメイン音声からサブ音声へ切り換え、次のステップＳＰ９へ移る。
【００５７】
このときＴＶマイコン２は、サブ音声だけをスピーカ出力すると同時に、メイン画面６Ａのメイン音声をヘッドホン端子（図示せず）に供給しており、当該ヘッドホン端子にヘッドホンが接続された場合には、その瞬間からヘッドホンへメイン音声を出力し得るようになされている。
【００５８】
ステップＳＰ９においてＴＶマイコン２は、サブ画面６Ｂの選択中であってサブ音声をスピーカ出力している最中に、ヘッドホンがヘッドホン端子に接続されたか否かを判定し、否定結果が得られた場合、ステップＳＰ８へ戻るのに対し、肯定結果が得られると次のステップＳＰ１０へ移る。
【００５９】
ステップＳＰ１０においてＴＶマイコン２は、サブ画面６Ｂに対するサブ音声のスピーカ出力を継続したまま、ヘッドホン端子には予めメイン画面６Ａのメイン音声を供給しているので、当該ヘッドホン端子に接続されたヘッドホンからメイン音声を直ちに出力させ、ステップＳＰ４へ戻って上述の処理を繰り返す。
【００６０】
（３）２画面モードにおける音声出力制御結果
ディジタルテレビ１のＴＶマイコン２は、上述の音声出力制御処理手順（図４）を実行することにより、図５に示すような音声出力パターンを設定することができる。
【００６１】
実際上、ディジタルテレビ１では、最初に２画面表示を行っている状態Ｔ２１でデフォルトのメイン画面６Ａを選択する状態Ｔ２２へ遷移した場合、スピーカからはメイン画面６Ａのメイン音声のみを出力すると共に、ヘッドホン端子にサブ画面６Ｂのサブ音声を供給する状態Ｔ２３となる。
【００６２】
またディジタルテレビ１では、状態Ｔ２２におけるメイン画面６Ａの選択中、ヘッドホンが接続された状態Ｔ２４へ遷移した場合、メイン音声のスピーカ出力を継続したまま、ヘッドホン端子を介して接続されたヘッドホンからサブ音声を出力した状態Ｔ２５へ遷移する。
【００６３】
すなわち、この場合ディジタルテレビ１では、状態Ｔ２２において、メイン画面６Ａの映像をユーザに対して目視確認させながら、メイン画面６Ａのメイン音声をスピーカから聴取させると共に、サブ画面６Ｂの映像を他のユーザに対して目視確認させながら、サブ画面６Ｂのサブ音声をヘッドホンからのみ聴取させ得るようになされている。
【００６４】
一方、ディジタルテレビ１では、最初に２画面表示を行っている状態Ｔ２１から、リモートコントローラの右矢印ボタンに対する操作に応じてサブ画面６Ｂを選択する状態Ｔ２６へ遷移した場合、スピーカからはサブ画面６Ｂのサブ音声のみを出力すると共に、ヘッドホン端子にメイン画面６Ａのメイン音声を供給する状態Ｔ２７となる。
【００６５】
またディジタルテレビ１では、状態Ｔ２６におけるサブ画面６Ｂの選択中、ヘッドホンが接続された状態Ｔ２８へ遷移した場合、サブ音声のスピーカ出力を継続したまま、ヘッドホン端子を介して接続されたヘッドホンからメイン音声を出力した状態Ｔ２９へ遷移する。
【００６６】
すなわち、この場合ディジタルテレビ１では、状態Ｔ２６において、サブ画面６Ｂの映像をユーザに対して目視確認させながら、サブ画面６Ｂのサブ音声をスピーカから聴取させると共に、メイン画面６Ａの映像を他のユーザに対して目視確認させながら、メイン画面６Ａのメイン音声をヘッドホンからのみ聴取させ得るようになされている。
【００６７】
このようにディジタルテレビ１では、メイン画面６Ａ又はサブ画面６Ｂの選択中に、ヘッドホンが接続された場合、それまで行っていたスピーカ出力については継続したまま、未選択の方のサブ画面６Ｂ又はメイン画面６Ａのサブ音声又はメイン音声を瞬時にヘッドホン出力し得るようになされている。
【００６８】
（４）動作及び効果
以上の構成において、ディジタルテレビ１は、２画面モードにおいて、例えばメイン画面６Ａが選択されている場合、メイン音声をスピーカ出力すると共に、選択されていない方のサブ画面６Ｂのサブ音声をヘッドホン端子に供給する。
【００６９】
従ってディジタルテレビ１は、ヘッドホン端子にヘッドホンが接続された場合、何ら特別な操作を必要とすることなく、ヘッドホン端子に供給しているサブ音声をヘッドホンから直ちに出力することができる。
【００７０】
またディジタルテレビ１は、２画面モードにおいて、例えばサブ画面６Ｂが選択されている場合、サブ音声をスピーカ出力すると共に、選択されていない方のメイン画面６Ａのメイン音声をヘッドホン端子に供給する。
【００７１】
従ってディジタルテレビ１は、ヘッドホン端子にヘッドホンが接続された場合、何ら特別な操作を必要とすることなく、ヘッドホン端子に供給しているメイン音声をヘッドホンから直ちに出力することができる。
【００７２】
このようにディジタルテレビ１では、選択中であるメイン画面６Ａ又はサブ画面６Ｂのメイン音声又はサブ音声をスピーカ出力したまま、未選択のサブ画面６Ｂ又はメイン画面６Ａのサブ音声又はメイン音声についても予めヘッドホン端子へ供給しておくことにより、ヘッドホン端子にヘッドホンが接続されたときには、そのままヘッドホン端子に供給されているサブ音声又はメイン音声を当該ヘッドホンから瞬時に出力することができる。
【００７３】
またディジタルテレ部１は、選択中であるメイン画面６Ａ又はサブ画面６Ｂのメイン音声又はサブ音声を常時スピーカ出力するように固定し、未選択のサブ画面６Ｂ又はメイン画面６Ａのサブ音声又はメイン音声を常時ヘッドホン出力できるように固定したことにより、ヘッドホンを接続してもスピーカ出力の音声が変更されることがなく、ヘッドホンからはスピーカ出力されていない方の音声が必ず出力されるので、ユーザに対して音声出力パターンを容易かつ直感的に理解させることができる。
【００７４】
かくしてディジタルテレビ１では、ユーザを混乱させることなく、２画面モードのメイン画面６Ａ又はサブ画面６Ｂの何れかを通常通り選択させたうえで、ヘッドホンを接続するだけの簡単な操作に応じて、スピーカ出力とヘッドホン出力との音声出力パターンをユーザにとって容易に理解し易く設定することができる。
【００７５】
以上の構成によれば、ディジタルテレビ１は、２画面モードにおいて、メイン画面６Ａのメイン音声とサブ画面６Ｂのサブ音声とのスピーカ及びヘッドホンを介した音声出力パターンをユーザに混乱させることなく設定することが出来るので、スピーカ及びヘッドホンから音声を聴取するユーザに対して、その使い勝手を大幅に向上することができる。
【００７６】
（５）他の実施の形態
なお上述の実施の形態においては、メイン画面６Ａが選択されているときにはメイン音声をスピーカ出力し、ヘッドホン端子にサブ画面６Ｂのサブ音声を供給し、サブ画面６Ｂが選択されているときにはサブ音声をスピーカ出力し、ヘッドホン端子にメイン画面６Ａのメイン音声を供給しておくようにした場合について述べたが、本発明はこれに限らず、メイン画面６Ａが選択されているときにはサブ画面６Ｂのサブ音声をスピーカ出力し、ヘッドホン端子にメイン画面６Ａのメイン音声を供給し、サブ画面６Ｂが選択されているときにはメイン画面６Ａのメイン音声をスピーカ出力し、ヘッドホン端子にサブ画面６Ｂのサブ音声を供給しておくようにしても良い。
【００７７】
この場合も、ディジタルテレビでは、メイン画面６Ａのメイン音声とサブ画面６Ｂのサブ音声とのスピーカ及びヘッドホンを介した音声出力パターンが固定されるため、ユーザを混乱させることがない。
【００７８】
また上述の実施の形態においては、ヘッドホンが接続された場合でもスピーカ出力を継続するようにした場合について述べたが、本発明はこれに限らず、ヘッドホンが接続された場合にはスピーカ出力を強制的にオフするように制御しても良い。この場合、ユーザはスピーカ出力がオフされているので、スピーカ出力による音声に邪魔されることなく、ヘッドホン出力だけを聴取することが出来るようになる。
【００７９】
さらに上述の実施の形態においては、ヘッドホンが接続された場合でもスピーカ出力を継続するようにした場合について述べたが、本発明はこれに限らず、ヘッドホンが接続された場合であって、かつ消音ボタン（図示せず）が押下操作された場合にはスピーカ出力をオフするように制御しても良い。この場合も、ユーザはスピーカ出力がオフされているので、スピーカ出力による音声に邪魔されることなく、ヘッドホン出力だけを聴取することが出来るようになる。
【００８０】
さらに上述の実施の形態においては、表示手段としてのモニタ６と、スピーカ出力制御手段及びヘッドホン出力制御手段としてのＴＶマイコン２によって本発明の音声出力制御装置を構成するようにした場合について述べたが、本発明はこれに限らず、その他種々の構成でなる表示手段、スピーカ出力制御手段及びヘッドホン出力制御手段によって本発明の音声出力制御装置を構成するようにしても良い。
【産業上の利用可能性】
【００８１】
本発明の音声出力制御装置及び音声出力制御方法は、ディジタルテレビ以外にも、例えば２画面表示を行うことが可能なモニタとヘッドホン端子とを備えたパーソナルコンピュータ、ワンセグメントの地上波ディジタル放送を受信可能な携帯端末等のその他種々の電子機器に適用することができる。
【図面の簡単な説明】
【００８２】
【図１】従来の音声出力切換結果を示す状態遷移図である。
【図２】ディジタルテレビの構成を示す略線的ブロック図である。
【図３】２画面モード表示例を示す略線図である。
【図４】本発明の２画面モードにおける音声出力制御処理手順を示すフローチャートである。
【図５】本発明の２画面モードにおける音声出力制御結果を示す状態遷移図である。
【符号の説明】
【００８３】
１……ディジタルテレビ、２……ＴＶマイコン、３……リモコン、４……フロントエンド、５……バックエンド、６……モニタ、７……オーディオ処理部。
【図１】
2009135576.tif 000003
【図２】
2009135576.tif 000004
【図３】
2009135576.tif 000005
【図４】
2009135576.tif 000006
【図５】
2009135576.tif 000007